【手続補正書】
【提出日】平成16年3月26日(2004.3.26)
【手続補正１】
【補正対象書類名】明細書
【補正対象項目名】発明の名称
【補正方法】変更
【補正の内容】
【発明の名称】媒体作成装置および媒体作成方法


【手続補正２】
【補正対象書類名】明細書
【補正対象項目名】特許請求の範囲
【補正方法】変更
【補正の内容】
【特許請求の範囲】
【請求項１】
申請者の顔を撮影し、または申請書の顔写真を読取り、この撮影または読取りに基づく顔画像データに当該撮影機コードを付加する複数の撮影機と、
前記各撮影機で得られる顔画像データを、その顔画像データに付加されている撮影機コードに応じた色補正値をもって媒体にカラー印刷する印刷機と、
を具備したことを特徴とする媒体作成装置。
【請求項２】
申請書のＩＤコードを読取るとともに申請者の顔を撮影し、この撮影に基づく顔画像データに当該撮影機コードを付加する複数の撮影機と、
ＩＤコード付の個人データを記憶した記憶手段と、
前記各撮影機で読取られるＩＤコードに基づき前記記憶手段から個人データを検索して読出す読出手段と、
この読出手段により読出される個人データおよび前記各撮影機で得られる顔画像データを、その顔画像データに付加されている撮影機コードに応じた色補正値をもって媒体にカラー印刷する印刷機と、
を具備したことを特徴とする媒体作成装置。
【請求項３】
請求項２に記載の媒体作成装置において、
前記印刷機は、前記各撮影機に対応する色補正値を記憶し、前記読出手段により読出される個人データおよび前記各撮影機で得られる顔画像データを媒体に対しカラー印刷するとともに、印刷対象の顔画像データに付加されている撮影機コードにより前記記憶した色補正値の中から所定の色補正値を選択し、その色補正値に基づいてカラー印刷の色補正を行なうことを特徴とする媒体作成装置。
【請求項４】
申請書のＩＤコードおよび顔写真を読取り、この読取りに基づく顔画像データに当該撮影機コードを付加する複数の撮影機と、
ＩＤコード付の個人データを記憶した記憶手段と、
前記各撮影機で読取られるＩＤコードに基づき前記記憶手段から個人データを検索して読出す読出手段と、
この読出手段により読出される個人データおよび前記各撮影機で得られる顔画像データを、その顔画像データに付加されている撮影機コードに応じた色補正値をもって媒体にカラー印刷する印刷機と、
を具備したことを特徴とする媒体作成装置。
【請求項５】
請求項４に記載の媒体作成装置において、
前記印刷機は、前記各撮影機に対応する色補正値を記憶し、前記読出手段により読出される個人データおよび前記各撮影機で得られる顔画像データを媒体に対しカラー印刷するとともに、印刷対象の顔画像データに付加されている撮影機コードにより前記記憶した色補正値の中から所定の色補正値を選択し、その色補正値に基づいてカラー印刷の色補正を行なうことを特徴とする媒体作成装置。
【請求項６】
申請者の顔を撮影し、この撮影に基づく顔画像データに当該撮影機コードを付加する第１撮影機と、
申請書の顔写真を読取り、この読取りに基づく顔画像データに当該撮影機コードを付加する第２撮影機と、
前記各撮影機で得られる顔画像データを、その顔画像データに付加されている撮影機コードに応じた色補正値をもって媒体にカラー印刷する印刷機と、
を具備したことを特徴とする媒体作成装置。
【請求項７】
申請書のＩＤコードを読取るとともに申請者の顔を撮影し、この撮影に基づく顔画像データに当該撮影機コードを付加する第１撮影機と、
申請書のＩＤコードおよび顔写真を読取り、この読取りに基づく顔画像データに当該撮影機コードを付加する第２撮影機と、
ＩＤコード付の個人データを記憶した記憶手段と、
前記各撮影機で読取られるＩＤコードに基づき前記記憶手段から個人データを検索して読出す読出手段と、
この読出手段により読出される個人データおよび前記各撮影機で得られる顔画像データを、その顔画像データに付加されている撮影機コードに応じた色補正値をもって媒体にカラー印刷する印刷機と、
を具備したことを特徴とする媒体作成装置。
【請求項８】
請求項７に記載の媒体作成装置において、
前記印刷機は、前記各撮影機に対応する色補正値を記憶し、前記読出手段により読出される個人データおよび前記各撮影機で得られる顔画像データを媒体に対しカラー印刷するとともに、印刷対象の顔画像データに付加されている撮影機コードにより前記記憶した色補正値の中から所定の色補正値を選択し、その色補正値に基づいてカラー印刷の色補正を行なうことを特徴とする媒体作成装置。
【請求項９】
申請書のＩＤコードを読取って外部に転送するとともに、申請者の顔を撮影し、この撮影に基づく顔画像データを当該撮影機コードと共に外部に転送する第１撮影機と、
申請書のＩＤコードを読取って外部に転送するとともに、申請書の顔写真を読取り、この読取りに基づく顔画像データを当該撮影機コードと共に外部に転送する第２撮影機と、
申請書のＩＤコードを読取って外部に転送するとともに、申請者の顔を撮影し、この撮影に基づく顔画像データを当該撮影機コードと共に記録媒体に記録する第３撮影機と、
ＩＤコード付の個人データを記憶した記憶手段と、
前記各撮影機から転送されるＩＤコードに基づき前記記憶手段から個人データを検索して読出す読出手段と、
この読出手段により読出される個人データを、前記第１撮影機から転送される顔画像データ、または前記第２撮影機から転送される顔画像データ、または前記記録媒体に記録されている顔画像データと共に、その顔画像データに付加されている撮影機コードに応じた色補正値をもって媒体にカラー印刷する印刷機と、
を具備したことを特徴とする媒体作成装置。
【請求項１０】
請求項９に記載の媒体作成装置において、
前記印刷機は、前記各撮影機に対応する色補正値を記憶し、前記読出手段により読出される個人データを、前記第１撮影機から転送される顔画像データ、または前記第２撮影機から転送される顔画像データ、または前記記録媒体に記録されている顔画像データと共に媒体に対しカラー印刷するとともに、印刷対象の顔画像データに付加されている撮影機コードにより前記記憶した色補正値の中から所定の色補正値を選択し、その色補正値に基づいてカラー印刷の色補正を行なうことを特徴とする媒体作成装置。
【請求項１１】
申請書のＩＤコードを読取って外部に転送するとともに、申請者の顔を撮影し、この撮影に基づく顔画像データを当該撮影機コードと共に外部に転送する第１撮影機と、
申請書のＩＤコードを読取って外部に転送するとともに、申請書の顔写真を読取り、この読取りに基づく顔画像データを当該撮影機コードと共に外部に転送する第２撮影機と、
申請書のＩＤコードを読取って外部に転送するとともに、申請者の顔を撮影し、この撮影に基づく顔画像データを当該撮影機コードと共に記録媒体に記録する第３撮影機と、
これら撮影機にネットワーク接続され、かつＩＤコード付の個人データを予め記憶し、この記憶した個人データの中から前記各撮影機から転送されるＩＤコードに対応する個人データを読出すホストコンピュータと、
前記各撮影機および前記ホストコンピュータにネットワーク接続され、ホストコンピュータで読出される個人データおよびそれに対応するＩＤコードを、前記第１撮影機から転送される顔画像データ、または前記第２撮影機から転送される顔画像データ、または前記記録媒体に記録されている顔画像データと共に、その顔画像データに付加されている撮影機コードに応じた色補正値をもって媒体にカラー印刷する印刷機と、
を具備したことを特徴とする媒体作成装置。
【請求項１２】
請求項１１に記載の媒体作成装置において、
前記印刷機は、前記各撮影機および前記ホストコンピュータにネットワーク接続され、かつ前記各撮影機に対応する色補正値を記憶し、前記ホストコンピュータで読出される個人データおよびそれに対応するＩＤコードを、前記第１撮影機から転送される顔画像データ、または前記第２撮影機から転送される顔画像データ、または前記記録媒体に記録されている顔画像データと共に媒体に対しカラー印刷するとともに、印刷対象の顔画像データに付加されている撮影機コードにより前記記憶した色補正値の中から所定の色補正値を選択し、その色補正値に基づいてカラー印刷の色補正を行なうことを特徴とする媒体作成装置。
【請求項１３】
申請者の顔を撮影し、または申請書の顔写真を読取り、この撮影または読取りに基づく顔画像データを得る複数の撮影機と、これら撮影機で得られる顔画像データを媒体に対しカラー印刷する印刷機と、を備えたＩＤ媒体作成装置を用いた媒体作成方法において、
前記各撮影機で得られる顔画像データにそれぞれ撮影機コードを付加しておき、印刷機では印刷対象の顔画像データに付加されている撮影機コードに応じた色補正値をもってカラー印刷に対する色補正を行ない、色補正を行った顔画像データを媒体に対してカラー印刷することを特徴とする媒体作成方法。
【手続補正３】
【補正対象書類名】明細書
【補正対象項目名】０００１
【補正方法】変更
【補正の内容】
【０００１】
【発明の属する技術分野】
この発明は、申請者の顔写真、個人データ、ＩＤコードなどを媒体たとえばカードに印刷する媒体作成装置に関する。


【手続補正４】
【補正対象書類名】明細書
【補正対象項目名】０００６
【補正方法】変更
【補正の内容】
【０００６】
この発明は上記の事情を考慮したもので、その目的とするところは、複数の撮影機の使用状況に応じて、印刷機に対する最適な色補正値を自動設定することができ、これにより係員に負担をかけることなく、常に良好なカラー印刷が可能な媒体作成装置を提供することにある。


【手続補正５】
【補正対象書類名】明細書
【補正対象項目名】０００７
【補正方法】変更
【補正の内容】
【０００７】
【課題を解決するための手段】
第１の発明（請求項１）の媒体作成装置は、申請者の顔を撮影し、または申請書の顔写真を読取り、この撮影または読取りに基づく顔画像データに当該撮影機コードを付加する複数の撮影機と、これら撮影機で得られる顔画像データを、その顔画像データに付加されている撮影機コードに応じた色補正値をもって媒体にカラー印刷する印刷機と、を備える。


【手続補正６】
【補正対象書類名】明細書
【補正対象項目名】０００８
【補正方法】変更
【補正の内容】
【０００８】
第６の発明（請求項６）の媒体作成装置は、申請者の顔を撮影し、この撮影に基づく顔画像データに当該撮影機コードを付加する第１撮影機と、申請書の顔写真を読取り、この読取りに基づく顔画像データに当該撮影機コードを付加する第２撮影機と、各撮影機で得られる顔画像データを、その顔画像データに付加されている撮影機コードに応じた色補正値をもって媒体にカラー印刷する印刷機と、を備える。


【手続補正７】
【補正対象書類名】明細書
【補正対象項目名】０００９
【補正方法】変更
【補正の内容】
【０００９】
第９の発明（請求項９）の媒体作成装置は、申請書のＩＤコードを読取って外部に転送するとともに、申請者の顔を撮影し、この撮影に基づく顔画像データを当該撮影機コードと共に外部に転送する第１撮影機と、申請書のＩＤコードを読取って外部に転送するとともに、申請書の顔写真を読取り、この読取りに基づく顔画像データを当該撮影機コードと共に外部に転送する第２撮影機と、申請書のＩＤコードを読取って外部に転送するとともに、申請者の顔を撮影し、この撮影に基づく顔画像データを当該撮影機コードと共に記録媒体に記録する第３撮影機と、ＩＤコード付の個人データを記憶した記憶手段と、各撮影機から転送されるＩＤコードに基づき上記記憶手段から個人データを検索して読出す読出手段と、この読出手段により読出される個人データを、第１撮影機から転送される顔画像データ、または第２撮影機から転送される顔画像データ、または上記記録媒体に記録されている顔画像データと共に、その顔画像データに付加されている撮影機コードに応じた色補正値をもって媒体にカラー印刷する印刷機と、を備える。


【手続補正８】
【補正対象書類名】明細書
【補正対象項目名】００１０
【補正方法】変更
【補正の内容】
【００１０】
第１１の発明（請求項１１）の媒体作成装置は、申請書のＩＤコードを読取って外部に転送するとともに、申請者の顔を撮影し、この撮影に基づく顔画像データを当該撮影機コードと共に外部に転送する第１撮影機と、申請書のＩＤコードを読取って外部に転送するとともに、申請書の顔写真を読取り、この読取りに基づく顔画像データを当該撮影機コードと共に外部に転送する第２撮影機と、申請書のＩＤコードを読取って外部に転送するとともに、申請者の顔を撮影し、この撮影に基づく顔画像データを当該撮影機コードと共に記録媒体に記録する第３撮影機と、これら撮影機にネットワーク接続され、かつＩＤコード付の個人データを予め記憶し、この記憶した個人データの中から各撮影機から転送されるＩＤコードに対応する個人データを読出すホストコンピュータと、各撮影機およびホストコンピュータにネットワーク接続され、ホストコンピュータで読出される個人データおよびそれに対応するＩＤコードを、第１撮影機から転送される顔画像データ、または第２撮影機から転送される顔画像データ、または上記記録媒体に記録されている顔画像データと共に、その顔画像データに付加されている撮影機コードに応じた色補正値をもって媒体にカラー印刷する印刷機と、を備えている。


【手続補正９】
【補正対象書類名】明細書
【補正対象項目名】００１１
【補正方法】変更
【補正の内容】
【００１１】
第１３の発明（請求項１３）の媒体作成方法は、申請者の顔を撮影し、または申請書の顔写真を読取り、この撮影または読取りに基づく顔画像データを得る複数の撮影機と、これら撮影機で得られる顔画像データを媒体に対しカラー印刷する印刷機とを備えた媒体作成装置を用いた方法において、各撮影機で得られる顔画像データにそれぞれ撮影機コードを付加しておき、印刷機では印刷対象の顔画像データに付加されている撮影機コードに応じた色補正値をもってカラー印刷に対する色補正を行ない、色補正を行った顔画像データを媒体に対してカラー印刷する。


【手続補正１０】
【補正対象書類名】明細書
【補正対象項目名】００３０
【補正方法】変更
【補正の内容】
【００３０】
【発明の効果】
以上述べたようにこの発明によれば、各撮影機で得られる顔画像データにそれぞれ撮影機コードを付加しておき、印刷機では印刷対象の顔画像データに付加されている撮影機コードに応じた色補正値をもってカラー印刷に対する色補正を行なう構成としたので、複数の撮影機の使用状況に応じて、印刷機に対する最適な色補正値を自動設定することができ、これにより係員に負担をかけることなく、常に良好なカラー印刷が可能な媒体作成装置を提供できる。


【手続補正１１】
【補正対象書類名】明細書
【補正対象項目名】００３１
【補正方法】変更
【補正の内容】
【００３１】
また、この発明によれば、各撮影機で得られる顔画像データにそれぞれ撮影機コードを付加しておき、印刷機では印刷対象の顔画像データに付加されている撮影機コードに応じた色補正値をもってカラー印刷に対する色補正を行なうようにしたので、複数の撮影機の使用状況に応じて、印刷機に対する最適な色補正値を自動設定することができ、これにより係員に負担をかけることなく、常に良好なカラー印刷が可能な媒体作成方法を提供できる。